【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  支持体上に温度に依存して色調が可逆的に変化する感熱記録層を設けた可逆性感熱記録媒体において、該可逆性感熱記録媒体の感熱記録面側表面の表面粗さ（Ｒｚ）が１．５μｍ以上であることを特徴とする可逆性感熱記録媒体。
【請求項２】  支持体上に温度に依存して色調が可逆的に変化する感熱記録層を設けた可逆性感熱記録媒体において、該可逆性感熱記録媒体の感熱記録面側表面の平均山間隔（Ｓｍ）と表面粗さ（Ｒｚ）との比（Ｓｍ／Ｒｚ）が１２０以下であることを特徴とする可逆性感熱記録媒体。
【請求項３】  支持体上に温度に依存して色調が可逆的に変化する感熱記録層を設けた可逆性感熱記録媒体において、該可逆性感熱記録媒体の感熱記録面側表面の表面粗さ（Ｒｚ）が１．５μｍ以上であり、且つ表面粗さ比（Ｓｍ／Ｒｚ）が１２０以下であることを特徴とする請求項１又は２記載の可逆性感熱記録媒体。
【請求項４】  前記可逆性感熱記録媒体の感熱記録面側表面の表面粗さ（Ｒｚ）が１．５μｍ以上３．５μｍ以下であることを特徴とする請求項１または３記載の可逆性感熱記録媒体。
【請求項５】 前記可逆性感熱記録媒体の感熱記録面側表面の表面粗さ比（Ｓｍ／Ｒｚ）が３０以上１２０以下であることを特徴とする請求項２または３記載の可逆性感熱記録媒体。
【請求項６】  前記可逆性感熱記録媒体の感熱記録面側表面のＪＩＳＫ５４００−１９９０法に基づく塗膜強度がＦ以上であることを特徴とする請求項１乃至５何れか１に記載の可逆性感熱記録媒体。
【請求項７】  支持体上に、感熱記録層、中間層、保護層が順次積層されていることを特徴とする請求項１乃至６何れか１に記載の可逆性感熱記録媒体。
【請求項８】  前記可逆性感熱記録媒体の感熱記録層及び該可逆性感熱記録層上にある全ての層に樹脂が含有されており、その樹脂母材が架橋性樹脂であることを特徴とする請求項１乃至７何れか１に記載の可逆性感熱記録媒体。
【請求項９】  前記可逆性感熱記録媒体の少なくとも１つの層に少なくとも１種類のフィラーが含まれていることを特徴とする請求項１乃至８何れか１に記載の可逆性感熱記録媒体。
【請求項１０】  前記可逆性感熱記録媒体に含まれるフィラーが無機フィラーであることを特徴とする請求項９記載の可逆性感熱記録媒体。
【請求項１１】  情報記憶部を設けたことを特徴とする請求項１乃至１０の何れか１に記載の可逆性感熱記録媒体。
【請求項１２】  前記情報記憶部が磁気記録部、ＩＣメモリー、光メモリーの何れか少なくとも１種であり媒体の１部に設けたことを特徴とする請求項１１記載の可逆性感熱記録媒体。
【請求項１３】  ２種類以上のシートを貼り合わせた支持体が用いられることを特徴とする請求項１乃至１２何れか１に記載の可逆性感熱記録媒体。
【請求項１４】  支持体の感熱記録面側の反対面側に接着剤層または粘着剤層を設けたことを特徴とする請求項１乃至１３何れか１に記載の可逆性感熱記録媒体。
【請求項１５】  不可逆な可視情報が予め感熱記録面側表面及び／又は裏面の少なくとも一部に形成してあることを特徴とする請求項１乃至１４何れか１に記載の可逆性感熱記録媒体。
【請求項１６】  請求項１乃至１４何れか１に記載の可逆性感熱記録媒体を表示面に有するポイントカード、プリペイドカード、診察券、入場券、定期券、ディスク、ディスクカートリッジ、カセットテープ、カセットカートリッジ。
【請求項１７】  請求項１乃至１６何れか１に記載の可逆性感熱記録媒体を、加熱により画像形成及び／又は画像消去することを特徴とする画像形成・消去方法。
【請求項１８】  サーマルヘッドを用いて加熱することを特徴とする請求項１７記載の可逆性感熱記録媒体の画像形成・消去方法。
【請求項１９】  サーマルヘッド、セラミックヒーター、ヒートロール、ホットスタンプ、ヒートブロックの少なくとも１種を用いて加熱することを特徴とする請求項１７又は１８記載の可逆性感熱記録媒体の消去方法。
【手続補正２】
【補正対象書類名】明細書
【補正対象項目名】００１３
【補正方法】変更
【補正の内容】
【００１３】
本発明によれば、第一に、支持体上に温度に依存して色調が可逆的に変化する感熱記録層を設けた可逆性感熱記録媒体において、その感熱記録面側表面の表面粗さ（Ｒｚ）が１．５μｍ以上であることを特徴とする可逆性感熱記録媒体が提供される。
【手続補正３】
【補正対象書類名】明細書
【補正対象項目名】００１４
【補正方法】変更
【補正の内容】
【００１４】
第二に、支持体上に温度に依存して色調が可逆的に変化する感熱記録層を設けた可逆性感熱記録媒体において、その感熱記録面側表面の平均山間隔（Ｓｍ）と表面粗さ（Ｒｚ）との比（Ｓｍ／Ｒｚ）が１２０以下であることを特徴とする可逆性感熱記録媒体が提供される。
【手続補正４】
【補正対象書類名】明細書
【補正対象項目名】００１５
【補正方法】変更
【補正の内容】
【００１５】
第三に、上記第一又は第二の可逆性感熱記録媒体を、加熱により画像の形成及び／又は消去することを特徴とする画像形成・消去方法が提供される。
【手続補正５】
【補正対象書類名】明細書
【補正対象項目名】００２９
【補正方法】変更
【補正の内容】
【００２９】
本発明の可逆性感熱記録媒体の発色記録の形成は、サーマルヘッドなどによりいったん溶融混合する温度に加熱し、急冷すればよい。また、消色は加熱状態から徐冷する方法と発色温度よりや々低い温度に加熱する方法の二つである。しかし、これらは両者が相分離したり、少なくとも一方が結晶化する温度に一時的に保持するという意味で同じである。発色状態の形成で急冷するのは、この相分離温度または結晶化温度に保持しないようにするためである。
【手続補正６】
【補正対象書類名】明細書
【補正対象項目名】０１２８
【補正方法】変更
【補正の内容】
【０１２８】
本発明の可逆性感熱記録媒体の基本層構成は図２のものであるが、他にも具体例として図３から図１２のものが挙げられるが、これらに限ったものではない。
【手続補正７】
【補正対象書類名】明細書
【補正対象項目名】０１２９
【補正方法】変更
【補正の内容】
【０１２９】
また、本発明の可逆性感熱記録媒体の感熱記録層側表面は保護層に限ったものでなく、印刷層表面、ＯＰ層表面、ラミネート層表面など印字消去の際サーマルヘッドに接触する全て又は一部の面である。
【手続補正８】
【補正対象書類名】明細書
【補正対象項目名】０１６６
【補正方法】変更
【補正の内容】
【０１６６】
【発明の効果】
本発明は可逆性感熱記録媒体の感熱記録面側表面のＲｚを１〜５μｍ以上にすること、またＳｍ／Ｒｚを１２０以下にすることによりサーマルヘッドに対するマッチング性が改善され、且つサーマルヘッドに付着したカス取り機能に優れた可逆性感熱記録媒体が提供される。更にＲｚを１．５μｍ以上３．０μｍ以下にすること、Ｓｍ／Ｒｚを５０以上１２０以下にすることによりサーマルヘッドに対するマッチング性が改善、且つサーマルヘッドに付着したカス取り機能に優れ、さらに色調低下が少なく視認性に優れた可逆性感熱記録媒体が提供される。また、塗膜強度をＦ以上にすること、さらに各層の樹脂母材を架橋することにより可逆性感熱記録媒体の機械的強度が向上しさらに繰り返し耐久性の優れた可逆性感熱記録媒体が提供される。